(57)【要約】【課題】編み上がり時に各指袋が指股部で常に重なった状態にした指袋付きの靴下または手袋の編成方法を提供する。【解決手段】横編機を用いて、指股部の位置で、隣り合う指袋が重なり合うように接合する指袋付きの靴下または手袋の編成方法である。この編成方法では、まず、隣接する二つの筒状部における編幅方向の同じ側の境界部を前後いずれかの一方の針床に、残りの境界部を他方の針床に配置した状態で、二つの筒状部を指股形成位置において接合して、二つの筒状部を一つにまとめた新たな筒状部を形成する。そして、二つの筒状部を重ね合わせた指股部の編目を接合する接合編目を、その編目の編幅方向近傍の編目と重ね合わせて重ね目を形成した後、この重ね目に連続する編目を形成する。この接合編目に重ねられる編幅方向近傍の編目は、互いに指股部を挟んで対角方向の位置にある編目を選択する。【選択図】図１
2008308773.tif 000002
【特許請求の範囲】
【請求項１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて、指先から編成するとともに、少なくとも一つの指股部の位置で、隣り合う指袋が重なり合うように接合する指袋付きの靴下または手袋の編成方法であって、
隣接する二つの筒状部における前側編地部と後側編地部との境界部を予め設定して、前記二つの筒状部を指股形成位置まで編成するステップと、
これら二つの筒状部における編幅方向の同じ側の境界部を前後いずれかの一方の針床に、残りの境界部を前後他方の針床に配置した状態で、前記二つの筒状部の編目を指股形成位置において重ね合わせて指股部の編目を形成するステップと、
指股部の編目に連続する接合編目を有し、前記二つの筒状部を一つにまとめた新たな筒状部を編成するステップと、
新たな筒状部の前後一方の編地部に位置する接合編目と、この接合編目の編幅方向近傍の編目とを重ね合わせて重ね目を形成するステップと、
新たな筒状部の前後他方の編地部に位置する接合編目と、この接合編目の編幅方向近傍の編目であって、前記一方の接合編目に重ねられる編目に対して指股部を挟んだ位置にある編目とを重ね合わせて重ね目を形成するステップと、
前記重ね目に連続する次コース以降の編目を形成するステップとを有することを特徴とする指袋付きの靴下または手袋の編成方法。
【請求項２】
前記編幅方向近傍の編目を、指股部側の境界部の編目に連続する編目とすることを特徴とする請求項１に記載の指袋付きの靴下または手袋の編成方法。
【請求項３】
編成対象が、親指指袋、人差指指袋、中指指袋、薬指指袋、小指指袋の５本の指袋を有する靴下であって、
５本の指袋は、親指指袋が甲側において最上位置となって、隣り合う指袋が、順次、指股部の位置で重なり合うように接合することを特徴とする請求項１または２に記載の指袋付きの靴下の編成方法。
【請求項４】
編成対象が、親指指袋、人差指指袋、中指指袋、薬指指袋、小指指袋の５本の指袋を有する手袋であって、
人差指、中指、薬指、小指の指袋について、人差指指袋が他の指袋に対して甲側において最上位置となって、隣り合う指袋が、順次、指股部の位置で重なり合うように接合することを特徴とする請求項１または２に記載の指袋付きの手袋の編成方法。
【請求項５】
左右方向に延び、かつ、前後方向に互いに対向する少なくとも前後一対の針床を有し、前後の針床の少なくとも一方が左右にラッキング可能で、前後の針床間で編目の目移しが可能な横編機を使用して、二つ以上の指袋を有し、指先から編成されるとともに、少なくとも一つの指股部の位置で、隣り合う指袋が、重なり合うように接合された指袋付きの靴下または手袋であって、
隣接する二つの筒状部を指股形成位置で重ね合わせて一つにまとめた新たな筒状部を備え、
前記新たな筒状部は、対向する二つの編地部からなり、
各編地部に、前記二つの筒状部を接合するように、二つ筒状部の編目を重ね合わせて形成した指股部の編目に連続して形成される接合編目と、
前記一方の編地部の接合編目と、この接合編目の編幅方向近傍の編目とを重ね合わせた重ね目に連続して形成される編目と、
前記他方の編地部の接合編目と、この接合編目の編幅方向近傍の編目であって、一方の編地部の接合編目に重ねられる編目に対して指股部を挟んだ位置にある編目とを重ね合わせて重ね目に連続して形成される編目とを有することを特徴とする指袋付き靴下または手袋。
【発明の詳細な説明】
【技術分野】
【０００１】
本発明は、指袋付きの靴下または手袋の編成方法、特に、５本の指袋を有する靴下または手袋の編成方法および指袋付きの靴下または手袋に関する。
【背景技術】
【０００２】
靴下や手袋は横編機を用いて編成することができる。指袋を有する靴下や手袋は、各指袋を指先から指股部まで１つの筒状体として編成する。手袋の場合は、一般に、小指、薬指、中指、人差指の各指袋を編成して、これらの指袋を互いの指股部形成位置で接合しながら一つの筒状体として四本胴を編成する。次に親指指袋を編成して親指指袋と四本胴を接合して一つにした五本胴を編成する。
【０００３】
また、靴下の編成については、親指、人差指、中指、薬指の指袋を編成した後、これら指袋を指股部形成位置で親指と人差指の指袋を接合して二本胴を形成し、中指の指袋と二本胴を接合して三本胴を形成し、三本胴と薬指の指袋とを接合して四本胴を形成した後、小指の指袋を編成して、この小指の指袋と四本胴とを接合して靴下を編成する場合もある(例えば特許文献１参照)。さらに、３本の指袋を接合して三本胴を形成した後、三本胴に他の指袋を１本接合して四本胴を形成し、さらに、残りの指袋を四本胴に接合して五本胴を形成することにより手袋を編成する場合もある（特許文献２を参照）。
【０００４】
【特許文献１】特開２０００−２３９９５０号公報
【特許文献２】特開２０００−２２００６４号公報
【発明の開示】
【発明が解決しようとする課題】
【０００５】
これら特許文献では、各指袋間の付け根となる指股部で隣接する筒状部（各指袋および二本胴、三本胴、四本胴）を接合する際に、各筒状部の接合箇所近傍の編目を重ね合わせる股重ねが施されている。具体例を挙げれば、５本指の手袋において、人差指指袋、中指指袋および薬指指袋を一本にまとめた三本胴と、小指指袋とを接合する場合には、三本胴の編目うち、小指指袋側の指股部形成位置の数目と、小指指袋の編目のうち、三本胴側の指股部形成位置の数目とを重ね合わせる股重ねを施す。そして、股重ねを施した状態で周回編成を行って四本胴の形成を行う。
【０００６】
しかしながら、前記した方法で編成された従来の指袋付き靴下または手袋は、例えば、図６に示す手袋のように、編み上がり状態では、指袋の指先が広がってしまう。ところで、軍手などの作業用手袋を除く、いわゆるファッション手袋は、市場に出す際に、見栄えを良くするために、プレス加工を施す。このプレス加工は、人差指の指袋が甲側において最上に位置するように、人差指、中指、薬指、小指の指袋が重なり合うように行う。同様に、ファッション性を有する靴下の場合も、見栄えを良くするために、親指が最上に位置するように、親指、人差指、中指、薬指、小指の指袋が重なり合うようにプレス加工を施す。
【０００７】
ところが、このようにプレス加工を施しても、編地の編目は形状を安定化しようとして、元の状態、即ち、指先が広がる方向に戻ろうとするので、指袋の重なり状態を長期に維持することは困難となる。その結果、靴下または手袋を長期保管する場合には、プレス加工時の形状が徐々に崩れていってしまう。さらに、手袋または靴下を洗濯した後は、プレス効果が無くなるので、編み上がり状態と同じ指先が広がった状態になってしまう。
【０００８】
また、プレス作業を行う場合、指袋の重ね状態を手作業で均一に揃えた後に、プレスするため、プレス作業が煩雑となる不具合もある。
【０００９】
本発明は、編み上がり時に、各指袋が指股部の位置で常に重なった状態にして、形状を整えるためのプレス作業を軽減できる指袋付きの靴下または手袋、およびその編成方法を提供することを目的とする。
【課題を解決するための手段】
【００１０】
本発明の指袋付き靴下または手袋の編成方法は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて、指先から編成するとともに、少なくとも一つの指股部の位置で、隣り合う指袋が重なり合うように接合する指袋付きの靴下または手袋の編成方法であって、以下のステップを有することを特徴とする編成方法である。
隣接する二つの筒状部における前側編地部と後側編地部との境界部を予め設定して、前記二つの筒状部を指股形成位置まで編成するステップ。
これら二つの筒状部における編幅方向の同じ側の境界部を前後いずれかの一方の針床に、残りの境界部を前後他方の針床に配置した状態で、前記二つの筒状部の編目を指股形成位置において重ね合わせて指股部の編目を形成するステップ。
指股部の編目に連続する接合編目を有し、前記二つの筒状部を一つにまとめた新たな筒状部を編成するステップ。
新たな筒状部の前後一方の編地部に位置する接合編目と、接合編目の編幅方向近傍の編目とを重ね合わせて重ね目を形成するステップ。
新たな筒状部の前後他方の編地部に位置する接合編目と、この接合編目の編幅方向近傍の編目であって、前記一方の接合編目に重ねられる編目に対して指股部を挟んだ位置にある編目とを重ね合わせて重ね目を形成するステップ。
前記重ね目に連続する次コース以降の編目を形成するステップ。
【００１１】
ここで、本発明における筒状部とは、親指、人差指、中指、薬指、小指の指袋、二本胴、三本胴、四本胴、五本胴をいう。また、境界部とは、筒状部を前後の編地部に分けたときの境界を指し、境界部の編目とは、境界部を挟んで隣接する編目を指す。さらに、本発明の編成方法において、前後の編地部の接合編目に重ねられる編目は、指股部を挟んで実質的に対角位置にあることが好ましい。
【００１２】
新たな筒状部の接合編目を、その編幅方向近傍の編目と重ね合わせるときは、編幅方向近傍の編目として、接合される二つの筒状部における境界部のうち、指股部側の境界部における編目に連続して形成される新たな筒状部の編目を選択することが好ましい。ここで、指股部側の境界部における編目は、境界部を挟んで二つあり、この二つのうち、いずれを選択しても良いが、指股部から離れた位置の編目を選択するのがより好ましい。
【００１３】
本発明の編成方法で、親指指袋、人差指指袋、中指指袋、薬指指袋、小指指袋の５本の指袋を有する靴下を編成する場合は、５本の指袋は、親指指袋が甲側において最上位置となって、隣り合う指袋が指股部の位置で重なり合うように接合することが好ましい。特に、最上位置から親指指袋、人差指指袋、中指指袋、薬指指袋、小指指袋の順に各指袋が指股部の位置で重なり合うように接合することが好ましい。
【００１４】
また、本発明の編成方法で、親指指袋、人差指指袋、中指指袋、薬指指袋、小指指袋の５本の指袋を有する手袋を編成する場合は、人差指、中指、薬指、小指の指袋について、人差指指袋が他の指袋に対して甲側において最上位置となって、隣り合う指袋が指股部の位置で重なり合うように接合することが好ましい。特に、最上位置から人差指指袋、中指指袋、薬指指袋、小指指袋の順に各指袋が指股部の位置で重なり合うように接合することが好ましい。
【００１５】
そして、上記した編成方法により指袋付き靴下または手袋を編成することにより、二つ以上の指袋を有し、指先から編成されるとともに、少なくとも一つの指股部の位置で、隣り合う指袋が、重なり合うように接合された指袋付きの靴下または手袋を作製できる。この靴下または手袋は、隣接する二つの筒状部を指股形成位置で一つにまとめた新たな筒状部を備える。この新たな筒状部は、対向する二つの編地部からなり、この編地部のそれぞれに、二つの筒状部を接合する接合編目、および、この接合編目と接合編目の編幅方向近傍の編目とを重ね合わせた重ね目に連続して形成される編目を有する。接合編目は、二つの筒状部を接合するときに、二つの筒状部の編目を重ね合わせて形成した指股部の編目に連続する編目である。また、新たな筒状部の対向する編地部において、接合編目に重ねられる編幅方向近傍の編目は、互いに指股部を挟んで対角方向の位置にある。
【発明の効果】
【００１６】
本発明の編成方法により得られる指袋付きの靴下または手袋は、前記した編成方法により、各指袋が指股部の位置で重なった状態にできる。すなわち、本発明の編成方法により得られた靴下または手袋は、編み上がりの状態から既に各指袋が重なった状態にあるため、指袋を重ねるためのプレス加工をする必要がなく、しかも、着用を繰り返したり、洗濯したりしても、常に指袋の重なり状態を維持できる。その結果、形状を整えるためのプレス作業を軽減できながら、指袋の重なり状態を長期に維持でき、しかも、見栄えも良好な靴下または手袋とできる。
【００１７】
本発明の編成方法の編成過程において、接合部の編目に重ね合わせる編幅方向近傍を、接合される二つの筒状部における境界部のうち、指股部側の境界部の編目に連続して新たな筒状部に形成される編目とすることで、接合する二つの指袋の重なり具合を、人体の手足の形状に沿った靴下または手袋とすることができる。
【００１８】
また、靴下を編成する際に、靴下の指袋の重なりを、親指を挿入する指袋を甲側の最上位置にすることで、人体の足の形状に沿った靴下とすることができる。さらに、手袋を編成する際に、手袋の指袋の重なりを、親指を除く４つの指袋を甲側の最上位置から順に、人差指指袋、中指指袋、薬指指袋、小指指袋とすることで、人体の手の形状に沿った手袋とすることができる。
【発明を実施するための最良の形態】
【００１９】
次に本発明の好適な実施の形態を図面に基づいて以下に詳細に説明する。以下に示す実施形態は、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いて指袋付きの靴下または手袋を製作する。
【００２０】
本実施形態で使用する２枚ベッドの横編機は、先端にフックを備えた針本体と、２枚の薄板を重ね合わせて構成したスライダーとからなるスライドニードル（株式会社島精機製作所の登録商標）を備える。例えば、株式会社島精機製作所製のＳＷＧ０２１を用いる。なお、横編機は、前記スライドニードルを備えた横編機だけでなく、べら針を備えた横編機を用いることもできる。もちろん、横編機として、４枚ベッド横編機や、トランスファージャックベッドを備える２枚ベッド横編機を使用することもできる。
【００２１】
前記スライドニードルを備えた横編機を用いる場合には、２枚ベッドでありながら、空針を設けることなく全針を用いて筒状編地の編成が行える。前記スライドニードルを備える横編機では、一方の針床におけるスライドニードルのスライダーで編目を他方の針床に進出させて、他方の針床におけるスライドニードルのスライダーに編目を預け置くようにする（特開平１１−４３８４９号公報に開示される編目の預け置き方法）。
【００２２】
なお、べら針の２枚ベッドの横編機を用いる場合は、筒状の編地を編成するときに、前後の各針床においてそれぞれ１本おきの針を用いて編成を行えば良い。この場合、対向する前後の針床で、それぞれの針床に係止される編地部の編目を対向する針床に目移しできるように、空針を確保しておく。
【００２３】
以下に示す実施形態は、筒状部となる指袋をそれぞれ個別に筒状に編成し、これら指袋のうち２本の指袋を接合することにより二本胴となる筒状部を形成し、接合した筒状部に次の指袋を接合して、より大きな筒状部を形成することを繰り返して、三本胴、四本胴、五本胴を形成していく。
【００２４】
＜第１実施形態＞
図１は、５本の指袋を備える靴下(右足用)の平面図である。第１実施形態で編成される靴下１は、５本の指袋を備え、図１において正面側が甲側編地部１Ａ(前側編地部)となり、背面側が裏側編地部１Ｂ(後側編地部)となる。また、靴下１は、指先先端部の位置が第一指指袋２１が最も突出しており、第一指指袋２１、第二指指袋２２、第三指指袋２３、第四指指袋２４、第五指指袋２５の順に指先先端部の位置が下がっている。第一指指袋２１は親指に対応し、第二指指袋２２は人差指、第三指指袋２３は中指、第四指指袋２４は薬指、第五指指袋２５は小指に対応する。
【００２５】
さらに、第一指指袋２１と第二指指袋２２の間に第一指股部３１が、第二指指袋２２と第三指指袋２３の間に第二指股部３２が、第三指指袋２３と第四指指袋２４の間に第三指股部３３が、第四指指袋２４と第五指指袋２５の間に第四指股部３４が形成される。第一指股部３１、第二指股部３２、第三指股部３３、第四指股部３４の位置も、第一指股部３１から順に足首側に下がっている。
【００２６】
本実施形態では、第一指指袋２１から第二指指袋２２、第三指指袋２３、第四指指袋２４、第五指指袋２５の順に、各指袋を個別に筒状に編成していく。
【００２７】
第一指指袋２１と第二指指袋２２を編成した後、第一指指袋２１と第二指指袋２２とを第一指股部３１で接合して二本胴４１を形成する。次に、第三指指袋２３を編成して、第三指指袋２３と二本胴４１の第二指指袋２２部分とを第二指股部３２で接合して三本胴５１を形成する。第四指指袋２４を編成して、第四指指袋２４と三本胴５１の第三指指袋２３部分とを第三指股部３３で接合して四本胴６１を形成する。第五指指袋２５を編成して、第五指指袋２５と四本胴６１の第四指指袋２４部分とを第四指股部３４で接合して五本胴７１を形成する。五本胴７１を足挿入口１１まで編成して、靴下１が形成される。
【００２８】
本実施形態では、第一指指袋２１、第二指指袋２２、第三指指袋２３、第四指指袋２４、第五指指袋２５、二本胴４１、三本胴５１、四本胴６１、五本胴７１が本発明でいう筒状部となる。また、本実施形態では、靴下の足の甲側編地部１Ａを、主として前針床の針を使用して編成する。靴下の足の裏側編地部１Ｂを、主として後針床の針を使用して編成する。
【００２９】
ただし、本実施形態および後述する第２実施形態では、各指袋は、指股部形成位置まで編成した時点における甲側編地部と裏側（手袋においては掌側）編地部との境界部を予め設定している。各指袋を筒状に編成するにあたっては、糸切れを防止するために前後の針床に係止される編目をほぼ同数にして編成する。
【００３０】
第１実施形態にかかる靴下１の足挿入口１１以外の部分の編組織、および、後記する第２実施形態の手袋の手挿入口以外の部分の編組織は、説明の便宜上、平編みの無地としているが、ジャカードやリブ等の組織柄のものであってもよい。
【００３１】
まず、靴下の第一指指袋と第二指指袋とを接合し、二本胴を形成する編成方法、さらに、二本胴と第三指指袋とを接合して三本胴を形成する編成方法について図２〜４に基づいて以下に説明する。
【００３２】
なお、図２〜３の編成工程図において、左の数字は、編成工程のステップを示し、左のＦＢは前針床を、ＢＢは後針床を示している。また、接合する前における各筒状部の甲側編地部の編目を太い丸線で示し、裏側編地部の編目を細い丸線で示す。さらに、各編目についてａ〜ｘまでのアルファベットを付して、編目の特定をしている。一方、図４には、図２〜３のステップ３、ステップ５、ステップ１０、ステップ１１のときの編地部を針床から外した状態を示す。
【００３３】
図２において、まず、第一指指袋２１と第二指指袋２２とを筒状に編成する（ステップ１）。両指袋２１，２２は、一方を指袋のつま先から第一指股部３１となる位置まで編成した後、他方も指袋のつま先から第一指股部３１となる位置まで編成するようにして形成すれば良い。
【００３４】
このステップ１において、ＢＢに係止される編目が後側編地部(足の裏側の編地部１Ｂ、手の掌側の編地部１０Ｂ)の編目を示し、ＦＢに係止される編目が前側編地部(足の甲側編地部１Ａ、手の甲側の編地部１０Ａ)の編目を示している。つまり、編目ａとｌの間、及び、編目ｆとｇの間が、第一指指袋２１の境界部になり、編目ｍとｘの間、及び、編目ｒとｓの間が、第二指指袋２２の境界部になる。
【００３５】
ステップ１で指股形成位置まで編成した第一指指袋２１と第二指指袋２２の前側編地部の編幅左側端部の編目２目をＢＢに回すと共に、後側編地部の編幅右側端部の編目２目をＦＢに回して、両指袋２１，２２とを時計周りに回転させ（ステップ２）。このステップ２により、隣接する２つの指袋２１，２２の左側の境界部が、ＢＢに配され、同指袋２１，２２の右側の境界部がＦＢに配される。
【００３６】
なお、ステップ２の状態にするために、第一指指袋２１と第二指指袋２２とを反時計回りに回転させても良いし、一方を時計回りに、他方を反時計回りに回転させても良い。さらに、指先から所定のコース編成した時点で各指袋を回転させておき、その状態で各指袋を指股部まで編成すれば、ステップ２の状態から編成を開始することになる。
【００３７】
次に、第二指指袋２２のＦＢに係止される前側編地部の編目の全てをＢＢのスライダーに預け置き、ＢＢを図の左にラッキングした後、ＢＢのスライダーに係止されている第二指指袋２２の前側編地部の編目を対向するＦＢの針に目移しする。この目移しにより、第一指指袋２１のＦＢの編目ｅに、第二指指袋２２の編目ｖが重ね合わされる。そして、ＢＢに係止される第二指指袋２２の後側編地部の編目の全てをＦＢのスライダーに預け置き、ＢＢを図の右にラッキングした後、ＦＢのスライダーに係止されている第二指指袋２２の後側編地部の編目を対向するＢＢの針に目移しする。この目移しにより、第一指指袋２１のＢＢの編目ｄに第二指指袋２２の編目ｗが重ね合わされる（ステップ３）。ステップ３の編目の重ね合わせにより、後側編地部の重ね目８３と前側編地部の重ね目８４で指股部３１が形成される。つまり、この重ね目８３，８４が指股部の編目である。
【００３８】
上述したステップ２，３により、第一指指袋２１と第二指指袋２２の左側の境界部（太い丸と細い丸との境界）はＢＢ側に配され、両筒状部２１，２２の右側の境界部はＦＢ側に配された状態で両筒状部２１，２２が接合される。つまり、図４（Ａ）に示すように、第一指指袋２１の左側境界部の編目ａ，ｌが、ＢＢ側に配置され、第二指指袋２２の右側境界部の編目ｓ，ｒが、ＦＢ側に配置され、第一指指袋２１の後側編地部と第二指指袋２２の前側編地部とが接合された状態になる。このとき、第一指指袋２１の右側境界部の編目ｇ，ｆが、ＦＢにおける指股部の編目８４の近傍に配置され、第二指指袋２２の左側境界部の編目ｘ，ｍが、ＢＢにおける指股部の編目８３の近傍に配置される。
【００３９】
次に、第一指指袋２１と第二指指袋２２が接合された状態から、第一指股部３１の位置に孔が生じないように股閉じ編成を行った後（ステップ４）、周回編成を行う（ステップ５）。このときの周回編成は、前側編地部を編成するときには、ステップ３において重ね合わされた前側編地部の編目８３にも連続して編目を形成し、後側編地部を編成するときには、ステップ３において重ね合わされた後側編地部の編目８４にも連続して編目を形成する。ステップ５の周回編成により二本胴４１の基部を編成する（図４の（Ｂ）を合わせて参照）。
【００４０】
第一指指袋２１と第二指指袋２２とを接合して形成される二本胴４１には、これら指袋２１，２２と同様に境界部が設定される。具体的には二本胴４１の左側の境界部は、第一指指袋２１の左側の境界部と一致し、二本胴４１の右側の境界部は、第二指指袋２２の右側の境界部と一致する。
【００４１】
二本胴４１は、説明の便宜上、ＢＢに係止される編目を左から順に再度アルファベットを振り直してＡ〜Ｋとし、同様にＦＢに係止される編目を右から順にアルファベットを振り直してＬ〜Ｖとする。ここで、編目Ｂ，Ｃ，ＲおよびＳは、それぞれ第一指指袋２１の編目ｌ，ａ，ｆおよびｇに対してウェール方向に連続する編目であり、編目Ｇ，Ｈ，ＭおよびＮは、それぞれ第二指指袋２２の編目ｘ，ｍ，ｒおよびｓに対してウェール方向に連続する編目である。つまり、二本胴４１の左側境界部がＢＢに、右側境界部がＦＢに配置されると共に、第一指指袋２１の右側境界部に連続する編目Ｓ，Ｒが、ＦＢにおける第一指股部３１近傍に配置され、第二指指袋２２の左側境界部に連続する編目Ｇ，Ｈが、ＢＢにおける指股部３１近傍に配置される。
【００４２】
また、編目Ｆは、重ね目８３に対してウェール方向に連続する編目であり、編目Ｑは、重ね目８４に対してウェール方向に連続する編目である。つまり、両編目Ｆ，Ｑは、指股部の編目８３，８４に連続して、第一指指袋２１と第二指指袋２２とを接合する接合編目である。
【００４３】
ステップ５の状態から、第一指指袋２１と第二指指袋２２とが指股部で重なった状態を維持するための編成を行う。まず、ステップ５の状態から、ＢＢを右方向に２ピッチラッキングした後（ステップ６）、ＦＢに係止されている編目Ｌ〜Ｒを対向するＢＢのスライダー、具体的には、編目Ｉ〜Ｃが係止されるスライドニードルのスライダーに預け置く（ステップ７）。
【００４４】
次に、ＢＢを左方向に２ピッチラッキングした後、ＢＢのスライダーに預け置かれていた編目Ｌ〜Ｒを対向するＦＢの針に目移しする（ステップ８）。この目移しにより、二本胴４１の前側編地部の編目Ｒが、同編地部の編目Ｔに、同編地部の編目Ｑが編目Ｓに重ね合わされた状態になる。
【００４５】
次に、図３の編成ブロック９に示すように、ＢＢに係止されている編目Ａ〜Ｇを対向するＦＢのスライダー、具体的には編目Ｖ〜Ｎが係止されるスライドニードルのスライダーに預け置く。
【００４６】
そして、ＢＢを左方向に２ピッチラッキングした後、ＦＢのスライダーに預け置かれていた編目Ａ〜Ｇを対向するＢＢの針に目移しする（ステップ１０）。この目移しにより、二本胴４１の後側編地部の編目Ｇが、同編地部の編目Ｉに、同編地部の編目Ｆが編目Ｈに重ね合わされた状態になる。
【００４７】
接合編目Ｑ（８４）に重ねられる編目Ｓは、第一指指袋２１の右側境界部の編目ｇに連続する編目であり、接合編目Ｆ（８３）に重ねられる編目Ｈは、第二指指袋２２の左側境界部の編目ｍに連続する編目である。つまり、指股部３１を挟んで対角位置にある編目ＨおよびＳを、それぞれ接合編目ＦおよびＱに重ね合わせて重ね目を形成し、図４の（Ｃ）に示すように、二本胴４１の前後の編地部が、それぞれの接合編目Ｆ，Ｑの近傍で逆Ｚ状に折り畳まれた状態としている。
【００４８】
この二本胴４１のうち、第一指股部３１の位置を挟んで左側の領域が、第一指指袋２１の実質的な挿入口となり、右側の領域が、第二指指袋２２の実質的な挿入口になる。また、前後の編地部を折り畳む長さがほぼ等しいため、二本胴４１のうち、各指袋２１，２２の実質的な挿入口となる２つの領域のいずれか一方が極端に狭くなるようなことがない。
【００４９】
次に、二本胴４１を第二指股部３２の位置まで周回編成する（ステップ１１）。このステップ１１により、二本胴４１の前後の編地部において逆Ｚ状に折り畳まれた部分に形成される重ね目に連続して編目が形成される。その結果、図４（Ｄ）に示すように、二本胴４１の編幅端部の位置に二本胴４１の境界部を配置したときに、指股部３１の編目８３、８４の位置が編幅方向の左右にずれた状態に固定される。そのため、第一指指袋２１と第二指指袋２２とが、第一指股部３１の位置で重なった状態で接合された二本胴４１が形成される。このとき、図４（Ｃ）の時点で前後の編地部を、各編地部の指股部の編目の近傍で折り返しているが、図４（Ｄ）の時点では、その折り返しが、筒の内部に突出していない。つまり、二本胴４１における各指袋２１，２２の実質的な挿入口の位置に、障害となる部分がないため、靴下を装着するときに、指袋にスムーズに指を挿入することができる。
【００５０】
上述のように、二本胴４１を形成したら、続いて、図１に示す靴下１の三本胴５１、四本胴６１、五本胴７１の編成を以下のように行う。なお、二本胴４１を周回編成する回数を変えることで、第一指股部３１と第二指股部３２の足首からの距離を変えることができ、実際の足の形状にフィットするようにできる。
【００５１】
次に、ステップ１２に示すように、第三指指袋２３を第二指股部３２の形成位置まで編成し、第一指指袋２１と第二指指袋２２との接合と同様に、第三指股部３３の左側境界部がＢＢに、右側境界部がＦＢに配されるようにする。このとき、二本胴４１の左側境界部は既にＢＢに、右側境界部はＦＢに配されているので、二本胴４１を回転させる必要はない。このステップ１２以降の編成は、図２，３のステップ３〜１０と同様の編成を行って、接合編目の近傍で編地部が折り畳まれた部分を有する三本胴を編成する。
【００５２】
以降は、二本胴４１の編成および三本胴５１の編成と同様に、四本胴６１、五本胴７１の編成を行い、そして、五本胴７１を足挿入口１１まで周回編成して靴下１を完成する。具体的には、四本胴６１を編成するときは、図３のステップ１２における二本胴４１を三本胴に置き換え、第三指指袋２３を第四指指袋に置き換えて、編成すれば良い。五本胴７１も同様の考え方で編成すれば良い。
【００５３】
以上のようにして、指袋を接合していくことにより、図１に示すように、親指が挿入される第一指指袋２１が最上位置となるように、各指袋が指股部の位置で重ね合わされた状態になり、プレス加工を施すことなく、各指袋がまっすぐに伸びた状態となって見栄えがよくなる。
【００５４】
また、本実施形態の靴下１は、各指袋を接合していく過程で、接合されてできた筒状部（４１，５１，６１，７１）の編幅が減っていく。例えば、二本胴４１の周長は、第一指指袋２１の周長と第二指指袋２２の周長の合計よりも小さい。また、他の筒状部５１，６１，７１についても、二本胴４１と同様のことが言える。この周長の関係は、実際の足の形状に一致しているので、本実施形態の靴下１は、装着したときの足の形状にフィットする。ここで、特許文献１の靴下の場合も、接合されてできた筒状部の編幅は減っていくが、この文献の靴下では接合するときに重ねた編目の数だけしか編幅が減らない。そのため、実際の足の形状に一致させるために、特許文献１の靴下などでは、さらに、意図的に編幅を減らす編成を行っている。これに対して、本実施形態の靴下１は、各指袋を接合する過程で、接合編目近傍における編地部を折り畳んで編幅を減らしているので、従来の靴下において足の形状にフィットさせるために行っていた編幅を減らす編成を省略できる。
【００５５】
さらに、本発明の編成方法により得られる指袋付き靴下１は、図２，３を参照して説明したように、胴部（４１，５１，６１，７１）のうち、各指袋２１〜２５への足指の実質的な挿入口となる部分が極端に狭くなることもなく、当該部分に障害となる突出もないので、装着性が良い。
【００５６】
なお、図２のステップ２と図３のステップ１１における筒状部の回し込みを行うときには、一方の針床から他方の針床に編目を目移しする際に、編目の捻れが生じないようにすることが好ましい。捻れを防止するためには、目移しを行なう前の編成工程において、回し込みする編目を、目移しにより捻れが解消される方向に捻って形成する。このように回し込みする編目を、目移ししたときに捻れが解消されるように予め捻っておくことにより、回し込みを行っても、編目に捻れが生ずることを防止でき、外観を美しくできる。
【００５７】
その他、３本以上の筒状部（指袋）を同時に接合する場合も、図２，３を参照して説明した編成方法に従って接合すれば良い。例えば、３本の指袋を接合する場合は、３つの指袋を指股部形成位置まで編成し終わった後、３つの指袋を回転させて指股部で接合し、周回編成することで三本胴の基部を編成する。そして、図２，３のステップ６〜１０と同様に、三本胴の接合編目に対して重ね目を形成すると共に、接合編目の部分で三本胴の前後の編地部を逆Ｚ状に折り畳み、この折り畳み部分を固定する編成を行う。この編成により、三本胴の境界部を編幅方向端部に配置したときに、各指股に連続する三本胴の編目が、編幅方向の左右にずれた状態に固定され、各指袋が指股部で重ねられた三本胴が形成される。
【００５８】
＜第２実施形態＞
第２実施形態では、図５に示すような手袋１０（右手用）の編成について説明する。ここで、前記第１実施形態は、図２，３を参照して説明した靴下の実施形態について説明したが、この図２，３に示す編成方法は、図５に示す手袋の編成にも適用できる。
【００５９】
第２実施形態の手袋１０は、５本の指袋２１〜２５を備え、図５において正面側が甲側編地部１０Ａ(前側編地部)となり、背面側が掌側編地部１０Ｂ(後側編地部)となる。この手袋１０は、中指指袋２３の先端が最も突出しており、次に人差指指袋２２、薬指指袋２４、小指指袋２５、親指指袋２１の順に指先先端部の位置が下がった状態のものである。また、人差指指袋２２が、甲側の最も上位にあり、この人差指指袋２２の下に中指指袋２３が重なり、中指指袋２３の下に薬指指袋２４が重なっている。さらに、薬指指袋２４の下に、小指指袋２５が重なっている。
【００６０】
親指指袋２１と人差指指袋２２の間に第一指股部３１を、人差指指袋２２と中指指袋２３の間に第二指股部３２を、中指指袋２３と薬指指袋２４の間に第三指股部３３を、薬指指袋２４と小指指袋２５の間に第四指股部３４を形成する。第２実施形態では、指股部が形成される位置が、第二指股部３２、第三指股部３３、第四指股部３４、第一指股部３１の順に手首側に下がっている。なお、人差指と中指との間の指股と、中指と薬指との間の指股の位置がほぼ同じである手をもった人も多いので、第二指股部３２と第三指股部３３の手首からの距離を同じとした手袋であっても良い。
【００６１】
第２実施形態は、人差指指袋２２、中指指袋２３、薬指指袋２４、小指指袋２５、親指指袋２１の順に個別に指袋を編成していく。そして、人差指指袋２２と中指指袋２３とで二本胴４２が形成され、二本胴４２と薬指指袋２４とで三本胴５２が形成され、三本胴５２と小指指袋２５とで四本胴６２が形成され、さらに、四本胴６２と親指指袋２１とで五本胴７２が形成される。
【００６２】
本実施形態では、親指指袋２１、人差指指袋２２、中指指袋２３、薬指指袋２４、小指指袋２５、二本胴４２、三本胴５２、四本胴６２、五本胴７２が本発明でいう筒状部となる。また、本実施形態では、手袋の甲側編地部１０Ａを、主として前針床ＦＢの針を使用して編成する。手袋の掌側編地部１０Ｂを、主として後針床ＢＢの針を使用して編成する。
【００６３】
そして、人差指指袋２２と中指指袋２３とを編成した後、人差指指袋２２と中指指袋２３とを、図２、３に示す編成方法に従って第二指股部３２で接合し、二本胴４２を形成する。
【００６４】
次に、薬指指袋２４を編成して、この薬指指袋２４と二本胴４２の中指指袋２３部分とを図２、３に示す編成方法に従って第三指股部３３で接合し、三本胴５２を形成する。ここで、薬指指袋２４は、二本胴４２の前後の編地部のうち、人差指指袋２２が接合される側と反対側の編地部に接合される。
【００６５】
なお、第二指股部３２と第三指股部３３の手首からの距離を同じとした手袋であれば、人差指指袋２２と中指指袋２３と薬指指袋３４とを同時に接合した三本胴５２を形成し、その後、小指指袋２５と親指指袋２１とを順次接合して手袋を完成すれば良い。
【００６６】
三本胴５２の編成に続いて、小指指袋２５を編成して、小指指袋２５と三本胴５２の薬指指袋２４部分とを第四指股部３４で接合して四本胴６２を形成する。小指指袋２５は、三本胴５２の前後の編地部のうち、中指指袋２３が接合される側と反対側の編地部に接合される。
【００６７】
さらに、親指指袋２１を編成して、親指指袋２１と四本胴６２の人差指指袋２２部分とを第一指股部３１で接合して五本胴７２を形成する。親指指袋２１を四本胴６２に接合するときは、四本胴６２の境界部を前後の針床の間に配置した状態で、親指指袋２１のみを針床上で回転させ、接合する。このように四本胴６２と親指指袋２１とを接合することで、親指指袋２１が手袋１０の掌側に突き出したように接合されるので、実際の手の形状に沿った手袋１０とすることができる。
【００６８】
最後に、五本胴７２を手挿入口１２まで編成して、手袋１０が形成される。
【００６９】
以上のようにして、指袋を接合していくことにより、図５に示すように、人差指が挿入される人差指指袋２２が、手袋１０の甲側における最上位置となり、以下、中指指袋２３、薬指指袋２４、小指指袋２５の順に、隣接する各指袋が指股部の位置で重ね合わされた状態になる。そのため、プレス加工を施すことなく、人差指指袋２２から小指指袋２５までの４本の指袋がまっすぐに伸びた状態となって見栄えがよくなる。また、この手袋１０は、第１実施形態の靴下と同様の理由により、胴部（４２，５２，６２）のうち、各指袋への手指の実質的な挿入口となる部分に障害となるような突出箇所がないので、装着性が良い。さらに、この手袋１０は、指股部近傍の四本胴６２の編幅が、手の指股近傍の周長に適した長さになるので、装着したときにフィット感が高い。
【産業上の利用可能性】
【００７０】
本発明の編成方法は、横編機を用いて無縫製で編成される指袋付きの靴下または手袋を編成する場合に適している。
【図面の簡単な説明】
【００７１】
【図１】第１実施形態に示す本発明の靴下の平面図である。
【図２】第１実施形態および第２実施形態に共通する筒状部の編成工程図である。
【図３】図２に続く編成工程図である。
【図４】図２〜３の編成過程における代表的なステップのときの編地部の状態を示す模式図であって、（Ａ）は図２のステップ３のときの編地部の状態を、（Ｂ）は図２のステップ５のときの編地部の状態を、（Ｃ）は図３のステップ１０のときの編地部の状態を、（Ｄ）は図３のステップ１２のときの編地部の状態を示す。
【図５】第２実施形態に示す本発明の手袋の平面図である。
【図６】従来の手袋の指袋の状態を示す平面図である。
【符号の説明】
【００７２】
１  靴下    
１Ａ  甲側編地部      １Ｂ  裏側編地部
１０  手袋  
１０Ａ  甲側編地部      １０Ｂ  掌側編地部
１１  足挿入口      １２  手挿入口
２１  第一指指袋，親指指袋      ２２  第二指指袋，人差指指袋
２３  第三指指袋，中指指袋      ２４  第四指指袋，薬指指袋
２５  第五指指袋，小指指袋
３１  第一指股部      ３２  第二指股部      ３３  第三指股部
３４  第四指股部
４１,４２  二本胴
５１,５２  三本胴
６１,６２  四本胴
７１,７２  五本胴
８３  後側編地部の重ね目（指股部の編目）
８４  前側編地部の重ね目（指股部の編目）
【図１】
2008308773.tif 000003
【図２】
2008308773.tif 000004
【図３】
2008308773.tif 000005
【図４】
2008308773.tif 000006
【図５】
2008308773.tif 000007
【図６】
2008308773.tif 000008